(57)【要約】      （修正有）【課題】場所を選ばず、特に車両の中などで、手軽に使用できる携帯用枕を提供する。【解決手段】頭部に当てるクッション体１と、クッション体１を頭部に保持してなるヘアピン状又はヘアバンド状の留め具２を有する携帯用枕とする。【選択図】図２
0003211833.tif 000002
【実用新案登録請求の範囲】
【請求項１】
頭部に当てるクッション体と、クッション体を頭部に保持してなる留め具を有する携帯用枕。
【請求項２】
前記留め具がヘアピンのように髪を挟むこと、もしくはヘアバンド状やカチューシャのように頭を挟むことで位置を保持することを特徴とする請求項１記載の携帯用枕。
【請求項３】
前記クッション体を内包するカバーを備え、前記留め具をカバーに配置したことを特徴とする請求項１乃至２記載の携帯用枕。
【請求項４】
前記クッション体を、気密性を有した袋の中に入れ、袋には空気の出し入れを制御する栓を設けたことを特徴とする、請求項１乃至３記載の携帯用枕。
【請求項５】
前記クッション体もしくは前記袋もしくは前記カバーの少なくともどちらかと、前記留め具の間に回転可能なピボットを設けたことを特徴とする、請求項１乃至４記載の携帯用枕。
【請求項６】
前記クッション体もしくは留め具の少なくともどちらかに、振動機と振動機を制御する制御器を設けたことを特徴とする請求項１乃至５記載の携帯用枕。
【請求項７】
前記制御器が携帯電話などの機器端末との通信を行う、通信機を有することを特徴とする請求項１乃至６記載の携帯用枕。
【考案の詳細な説明】
【技術分野】
【０００１】
本考案は移動時などの睡眠時に使用する携帯用枕に関する。
【背景技術】
【０００２】
現在の移動時などの睡眠時に使用する携帯用枕は、U字型をしており首にはめるタイプが主流である。
【０００３】
旅行や移動時に使用する枕として、特に通勤電車等の短時間睡眠などでは、持ち運びしやすく短時間で使用できることが重要であり、小型ですぐに使える携帯用枕が望まれている。
【０００４】
列車等の座席で使用するのに特に適するものとして、例えば空気枕の形状をＵ字形にして、このＵ字形を首筋の後ろに沿わすようにして装着するようにしたものが広く知られている（例えば、特許文献１参照）。
【０００５】
また、車両のシートや窓への取り付け具を有し、利便性の向上を図った枕も考案されている。（例えば、特許文献２参照）。
【先行技術文献】
【特許文献】
【０００６】
【特許文献１】実開平６−３３５７６号公報
【特許文献２】特開平１０−３３３３９号公報
【考案の概要】
【考案が解決しようとする課題】
【０００７】
しかしながら、両者とも、携帯性を向上させるために、空気を吹き込むタイプとなっており、使用までに、時間がかかるほか、上記Ｕ字形のものは、頭部というより、むしろ首の後ろに膨出部分が当接するので、頭全体が持ち上げられたような体勢になり、頭部が固定されないという問題がある。また、後者の固定方法は固定対象により、留め具を変更しないといけないことや、対象によっては固定が効かなくなるなど固定方法に改善の余地があった。
【０００８】
本考案はこのような問題に鑑みてなされたものであり、持ち運びしやすく短時間で使用できることを目的としている。
【課題を解決するための手段】
【０００９】
本考案の携帯用枕は、頭部に当てるクッション体と、クッション体を頭部に保持してなる留め具を有することを特徴とした。
【００１０】
また、本考案における携帯用枕において、前記留め具がヘアピンのように髪を挟むこと、もしくはヘアバンド状やカチューシャのように頭を挟むことで位置を保持すると好適である。
【００１１】
本考案における携帯用枕において、前記クッション体を内包するカバーを備え、前記留め具をカバーに配置すると好適である。
【００１２】
本考案における携帯用枕において、前記クッション体を、気密性を有した袋の中に入れ、袋には空気の出し入れを制御する栓を設けると好適である。
【００１３】
本考案における携帯用枕において、前記クッション体、前記袋もしくは前記カバーの少なくともどちらかと、前記留め具の間に回転可能なピボットを設けると好適である。
【００１４】
本考案における携帯用枕において、前記クッション体もしくは留め具の少なくともどちらかに、振動機と振動機を制御する制御器を設けると好適である。
【００１５】
本考案における携帯用枕において、前記制御器が携帯電話などの機器端末との通信を行う、通信機を有すると好適である。
【考案の効果】
【００１６】
本考案の携帯用枕は、頭部に当てるクッション体と、クッション体を頭部に保持してなる留め具を有している。
【００１７】
このようにすると、留め具を使用して髪にクッション体を固定することができるので、保持部分を小型化できるため、枕全体を小型に構成できる。また、車両が揺れても位置が変わることがないため快適な睡眠を得ることができる。
【００１８】
本考案における枕は、前記留め具にヘアピンのように髪を挟む、もしくはヘアバンドやカチューシャのように頭を挟むことで位置を保持している。
【００１９】
このようにすることで、車両が揺れても位置が変わることがないため快適な睡眠を得ることができる。
【００２０】
また、留め具は、クッション体を頭に固定できれば良く、前述のヘアピン、ヘアバンド、カチューシャの形状限定されるものではなく、例えば帽子や鉢巻き状の物でもよい。
【００２１】
また、前記留め具がヘアバンド、カチューシャ、鉢巻きなどの線状のものであった場合、前記クッション体は前記留め具をレールとし、スライド可能に構成してもよい。
このようにすると、頭の角度などに合わせて、前記クッション体をスライドすることにより位置を調整できるため、使用中の快適性を向上できる。
【００２２】
本考案における枕は、前記クッション体を内包するカバーを備え、前記留め具をカバーに配置している。
【００２３】
このようにすることで、例えば前記クッション体には良好な弾性を持つが肌触りが悪いような素材を採用し、前記カバーには吸水性や通気性があり肌触りが良い素材を採用することにより、使用中の快適性を向上できる。
【００２４】
本考案における枕は、前記クッション体を、気密性を有した袋の中に入れ、前記袋には空気の出し入れを制御する栓を設けている。
【００２５】
このようにすることで、使用しないときには、前記袋の空気を抜き、真空状態で前記をすることにより、前記クッション体の体積を減らすことができ、携帯性を向上させることができる。
【００２６】
また、前記カバーがある場合には、前記袋は前記カバーの外側でも内側でもどちらでもよい。
【００２７】
本考案における枕は、前記クッション体、前記カバーもしくは前記袋の少なくともどちらかと、前記留め具の間に回転可能なピボットを設けている。
【００２８】
このようにすることで、良好な保持力を保ちつつ、状況にあった枕の角度を任意にセットできるため、良好な睡眠を得られる。
【００２９】
前記クッション体の好ましい位置、角度は例えば椅子や壁の角度、凹凸など周囲の状況に、左右されるため、自由に設定できることが好ましいが、ヘアピン状の髪を挟む前記保持具は、髪の方向に直角に使用することが好ましい。など、保持の仕方は限定をされる。
【００３０】
そこで、前記留め具と、前記クッション体もしくは前記カバーもしくは前記袋の間に回転可能なピボットを設けることで、前記保持具は保持に良好な位置及び角度を保ちつつ、前記クッション体は状況にあった角度を任意にセットできるため、良好な睡眠を得られることとなる。
【００３１】
本考案における枕は、前記クッション体もしくは前記留め具の少なくともどちらかに、振動機と、前記振動機を制御する制御器を設けている。
【００３２】
このようにすることで、任意のタイミングで前記振動機を振動させることで、使用者に起床のタイミングを知らせることができる。
最低限、前記制御器は前記振動機を起動及び停止ができればよいが、前記制御器にタイマー機能を持たせ、時間によって前記振動機を起動させることや、GPSを持たせ、場所によって前記振動機を起動させる機能を有してもよい。
【００３３】
また、前記制御器は前記振動機を駆動させるための蓄電池を含んでいても良い。
【００３４】
本考案における枕は、前記制御器が携帯電話などの機器端末との通信を行う、通信機を有している。
【００３５】
こうすると、携帯電話などの外部端末と連携を行い、前記外部端末の命令により前記振動機を起動させることができる。
【００３６】
これにより、起動条件を設定するインターフェースや、センサ類を前記外部端末が有することにより、前記制御機の本体、ひいては枕全体のサイズを小型化できる。
【００３７】
なお、通信手段は有線でも無線でもよく、有線であればUSBや、無線であれば、BluetoothやLANなどが考えられるが、前記通信機を介して前記外部端末と前記制御器が通信できればよく、これに限定されるものではない。
【図面の簡単な説明】
【００３８】
【図１】本考案の第１及び第２の実施形態を示す斜視図
【図２】本考案の第１及び第２の使用状態を示す斜視図
【図３】本考案の第３の実施形態を示す断面図
【図４】本考案の第４の実施形態を示す断面図
【図５】本考案の第５の実施形態を示す斜視図
【図６】本考案の第６及び第７の実施形態を示す断面図
【考案を実施するための形態】
【００３９】
以下、図面を参照して、本考案の実施の形態について説明する。なお、以下の実施形態は、各請求項に係る考案を限定するものではなく、また、実施形態の中で説明されている特徴の組み合わせの全てが考案の解決手段に必須であるとは限らない。
【００４０】
図1は本考案の第１及び第２の実施形態を示す斜視図である。この図に示すように、頭部に当てるクッション体１に留め具２が取り付けられている。
図１-(a)は留め具２にヘアピン状のものを、図１-(b)は留め具２にヘアバンド状のものをそれぞれ用いた実施例である。
【００４１】
図２は本考案の第１及び第２の使用状態を示す図であり、
図２-(a)は留め具２にヘアピン状のものを使用した例を示しており、留め具２が髪３を挟み込み、クッション体１の位置を保持している。
図２-(b)は留め具２にヘアバンド状のものを使用した例を示しており、留め具２が頭部４を挟み込み、クッション体１の位置を保持している。
【００４２】
上記のように頭部４にクッション体１を固定した後、移動時は壁体５にもたれかかるなどして睡眠をとる。この際、頭部４と壁体５の間にクッション体１があることにより、頭部４の接触部分がソフトになるだけでなく、車両内部の睡眠時では振動を吸収してくれる。その他、もたれかかった際の首の角度が小さくなり、良好な睡眠が得られる。
【００４３】
図３は本考案の第３の実施形態を示す断面図であり、クッション体１を内包するカバー６を備え、留め具２をカバー６に配置している。
また、カバー６にボタンやジッパー等、開閉機構を設けて、クッション体１を取り出せるようにしておくと、クッション体１の硬さや厚みを調整できるようになる。
【００４４】
図４は本考案の第４の実施形態を示した断面図であり、クッション体１を、気密性を有した袋７の中に入れ、袋７には空気の出し入れを制御する栓８を設けている。
このようにすると、使用しないときには、袋７の空気を抜き、袋７の内部を真空状態とすることにより、クッション体１の体積を減らすことができ、携帯性を向上させることができる。
真空状態とするには、栓８を開いた状態で、袋７を外から手などで圧縮し、空気を抜いた状態で、再び栓８を閉める。
また使用時には栓８を開けば、袋７の内部に配置されているクッション体１の弾性で
袋７が押し広げられ、栓８から自動的に空気が流入する。
【００４５】
また、この図では留め具２は袋７に設置されているが、前述のように、カバー６を使用する場合、袋７はカバー６の外側、内側どちらに位置してもよい。この場合、留め具２は、袋７はカバー６のどちらか最外部に位置している方に設置することになる。
【００４６】
図５は、本考案の第５の実施形態を示す斜視図であり、クッション体１と留め具２の間に、両者が回転可能に構成されたピボット８を設けている。
破線で示された留め具２は回転後の状態の一つを表したものである。なお、回転角度は任意に決められることが好ましい。
【００４７】
使用者は髪３の留めやすい角度で留め具２を使用し、クッション体１の固定を行ったのち、
クッション体１を適宜回転させ、例えば壁体５の角度や凹凸など周囲の状況に合わせて角度を決める。
このように状況にあった枕の角度を任意にセットすることで、良好な保持力を保ちつつ、良好な睡眠を得られる。
【００４８】
図６は本考案の第６及び第７の実施形態を示す断面図であり、クッション体１の中に、振動機９と振動機９を制御する制御器１０を設けた。また、制御器１０は通信機１１を有しており、携帯電話などの外部端末１２との通信を行うことができる。
このようにすることで、使用者があらかじめセットしたタイミングで制御器１０が振動機９を振動させ、使用者に起床のタイミングを知らせることができる。
【００４９】
セットするタイミングは、時間や場所が考えられ、時間で制御する場合は制御器１０にタイマー機能を、位置で正誤する場合は制御器１０にGPSなどの位置検出機能を付加することとなる。
使用者は、自分の起床したい時間や場所を制御器１０にあらかじめ入力しておく。
制御器１０は入力された時間や位置になると、振動機９を起動させ、使用者を起こす。
起床の場所に関しては、「入力された場所の半径〇m以内になれば、振動機９を起動する」等幅を持たせてもよい。
【００５０】
また、制御器１０が通信機１１を持ち、携帯電話などの外部端末１２と通信を行えるようにすることで、前述の起床時間や起床場所の設定を外部端末１２から行うことも可能となる。これにより、使用者の利便性を向上させることができる。
【００５１】
また、外部端末１２がタイマー機能やGPSなどの位置検出機能を持っている場合は、外部端末１２からの指令を受け、制御器１０が振動機９を起動・停止してもよい。
【００５２】
このようにすると、制御器１０の機能がシンプルで済むため、小型に機器を構成することが可能となる。
【符号の説明】
【００５３】
１  クッション体
２  留め具
３  髪
４  頭部
５  壁体
６  カバー
７  袋
８  栓
９ 振動機
１０  制御器
１１  通信機
１２  外部端末
【図１】
0003211833.tif 000003
【図２】
0003211833.tif 000004
【図３】
0003211833.tif 000005
【図４】
0003211833.tif 000006
【図５】
0003211833.tif 000007
【図６】
0003211833.tif 000008
【手続補正書】
【提出日】平成29年5月30日(2017.5.30)
【手続補正１】
【補正対象書類名】実用新案登録請求の範囲
【補正対象項目名】全文
【補正方法】変更
【補正の内容】
【実用新案登録請求の範囲】
【請求項１】
頭部に当てるクッション体と、クッション体を頭部に保持してなる留め具を有する携帯用枕。
【請求項２】
前記留め具がヘアピンのように髪を挟むこと、もしくはヘアバンド状やカチューシャのように頭を挟むことで位置を保持することを特徴とする請求項１に記載の携帯用枕。
【請求項３】
前記クッション体を内包するカバーを備え、前記留め具をカバーに配置したことを特徴とする請求項１又は２に記載の携帯用枕。
【請求項４】
前記クッション体を、気密性を有した袋の中に入れ、袋には空気の出し入れを制御する栓を設けたことを特徴とする、請求項３に記載の携帯用枕。
【請求項５】
前記クッション体もしくは前記袋もしくは前記カバーの少なくともどちらかと、前記留め具の間に回転可能なピボットを設けたことを特徴とする、請求項４に記載の携帯用枕。
【請求項６】
前記クッション体もしくは留め具の少なくともどちらかに、振動機と振動機を制御する制御器を設けたことを特徴とする請求項１乃至５の何れかに記載の携帯用枕。
【請求項７】
前記制御器が携帯電話などの機器端末との通信を行う、通信機を有することを特徴とする請求項６に記載の携帯用枕。